(57)【要約】【課題】導電端子の左右方向での偏りが制限できるコネクタを提供する。【解決手段】端子溝が形成され、底壁を有する絶縁本体と、前記端子溝に収容され、基部と、基部から上向きに延出するように形成される連接部及び連接部に連接する挟持部とをそれぞれ有する相手コネクタの導電端子に接続するための一対の第１弾性アームと、を含む導電端子と、を含むコネクタにおいて、前記絶縁本体に凸状リブが形成され、前記凸状リブが前記導電端子の一対の挟持部の間に収容されることにより、導電端子の挟持部が左右方向での偏りが制限できる。【選択図】図５
2008041664.tif 000002
【特許請求の範囲】
【請求項１】
端子溝が形成され、底壁を有する絶縁本体と、
前記端子溝に収容され、基部と、基部から上向きに延出するように形成される連接部及び連接部に連接する挟持部とをそれぞれ有する相手コネクタの導電端子に接続するための一対の第１弾性アームと、を含む導電端子と、を含むコネクタにおいて、
前記絶縁本体に凸状リブが形成され、前記凸状リブが前記導電端子の一対の挟持部の間に収容されることにより、導電端子の挟持部における左右方向の偏りが制限できることを特徴とするコネクタ。
【請求項２】
前記絶縁本体に天板を有し、前記凸状リブが前記天板に形成され、前記導電端子の挟持部の間に嵌合空間が形成され、前記凸状リブが前記嵌合空間の上方に位置することを特徴とする、請求項１に記載のコネクタ。
【請求項３】
前記凸状リブの長さは、前記挟持部の相手コネクタに嵌合する方向での長さが略等しいことを特徴とする、請求項２に記載のコネクタ。
【請求項４】
前記凸状リブは、前記導電端子の挟持部に当接することを特徴とする、請求項１乃至３のいずれかの一項に記載のコネクタ。
【請求項５】
前記凸状リブが前記嵌合空間に容易に挿入可能とするために、凸状リブの根部の幅が凸状リブの自由端の幅より広いことを特徴とする、請求項４に記載のコネクタ。
【請求項６】
前記絶縁本体には、前記端子溝に延出するように上下方向で弾性的な変位を生じる保持アームが形成され、前記保持アームが導電端子の基部に係合することにより、導電端子の絶縁本体から外れることが防止できることを特徴とする、請求項１に記載のコネクタ。
【請求項７】
前記保持アームに凸起が形成され、前記導電端子の基部には前記凸起に係合するための係止孔が形成されることを特徴とする、請求項６に記載のコネクタ。
【発明の詳細な説明】
【技術分野】
【０００１】
本発明は、コネクタに関し、特に、導電端子を確実に保持するためのコネクタに関するものである。
【背景技術】
【０００２】
従来技術は特許文献１に示すように、従来のコネクタは、導電端子を収容するための端子溝を有する絶縁本体と、前記端子溝に対応し装着される導電端子とを有する。前記絶縁本体の端子溝には片持ちアームが設けられ、該片持ちアームの後端に位置決め凹部が形成される。前記導電端子は、基部と、基部の先端の両側に形成された相手コネクタの導電端子に嵌合するための一対の第１アームと、基部の中部の両側に形成されたケーブルの導体に接続するための第２アームと、基部の後端の両側に形成されたケーブルの絶縁層に接続するための第３アームと、基部の後端から後向きに延出するように形成された位置決め片と、を有する。位置決め片が絶縁本体の位置決め凹部に係止することにより、導電端子が絶縁本体の端子溝に保持される。
【特許文献１】中国実用新案公告第２３９５４２２号
【発明の開示】
【発明が解決しようとする課題】
【０００３】
前記位置決め片が絶縁本体の位置決め凹部に係止することにより導電端子を絶縁本体に保持させ、しかしながら、導電端子の相手コネクタの導電端子に接続するための第１アームが絶縁本体の側壁に貼り付けない時に、偏りを生じる恐れがあり、更に、導電端子と相手コネクタの導電端子との間の電気的な接続を影響する虞があった。そこで、上述した欠点に鑑みて、新型なコネクタを開発することが必要である。
【０００４】
本発明は、導電端子の左右方向での偏りが制限できるコネクタを提供することを目的とする。
【課題を解決するための手段】
【０００５】
前記目的を達成するために、本発明によれば、端子溝が形成され、底壁を有する絶縁本体と、前記端子溝に収容され、基部と、基部から上向きに延出するように形成される連接部及び連接部に連接する挟持部とをそれぞれ有する相手コネクタの導電端子に接続するための一対の第１弾性アームと、を含む導電端子と、を含むコネクタにおいて、前記絶縁本体に凸状リブが形成され、前記凸状リブが前記導電端子の一対の挟持部の間に収容されることにより、導電端子の挟持部が左右方向での偏りが制限できる。
【発明の効果】
【０００６】
従来の技術に比べると、本発明は以下の長所がある。絶縁本体の凸状リブが前記導電端子の挟持部の間に収容されることにより、導電端子の挟持部が左右方向での偏りが制限できる。
【発明を実施するための最良の形態】
【０００７】
図１〜図５に基づいて、本発明のコネクタについて説明する。本発明のコネクタ１００は、絶縁本体２と絶縁本体２に保持される導電端子３とを含む。
【０００８】
前記絶縁本体２は、絶縁材料からなり、前壁２１と、後壁２２と、底壁２４と、天板２５とを有し、前記前壁２１と後壁２２との間に、複数の端子溝２３を貫通するように形成され、該複数の端子溝２３は前開口２３１と後開口２３２とを有する。前記底壁２４に前記端子溝２３に連通するように矩形形状を呈する貫通孔２４１を貫通するように形成され、また、該貫通孔２４１に保持アーム２４２に収容し、貫通孔２４１の両側には凹部２４３がそれぞれ形成される。前記保持アーム２４２は貫通孔２４１で上下方向に沿って弾性的な変位でき、その末端に凸起２４２１が形成され、保持アーム２４２が弾性的な変位を生じない初期状態において、該凸起２４２１が前記端子溝２３に収容し、該凸起２４２１の末端が導電端子３をガイドするための案内面２４２２が形成される。
【０００９】
前記絶縁本体２の前壁２１には端子溝２３に連通する通溝２３３が形成される。絶縁本体２の天板２５に、相手コネクタ（図示せず）に係合するための係合部材２７が設けられ、該係合部材２７は天板２５から一体に延出するように形成される延出部２７１と、延出部２７１から折曲がって後向きに延出するように形成される主体部２７２と、主体部２７２の中間部から前向きに延出するように相手コネクタに係合するためのロック部２７４と、主体部２７２の末端に形成される押圧部２７３と、を有する。また、該天板２５には前記端子溝２３にそれぞれ折曲がって延出するように凸状リブ２６が形成される。
【００１０】
前記導電端子３は金属板からなり、基部３１と、基部３１の先端の両側から延出するように相手コネクタの導電端子に接続するための一対の第１弾性アーム３２と、基部３１の中部の両側から延出するようにケーブル（図示せず）の導体に挟んで接続するための一対の第２弾性アーム３３と、基部３１の後端の両側からそれぞれ延出するようにケーブルの絶縁層に挟んで接続するための一対の第３弾性アーム３４と、基部３１の先端から前向きに延出するように形成される舌片３５とを有する。前記第１弾性アーム３２は基部３１から上向きに延出するようにそれぞれ形成される連接部３２２と、連接部３２２から延出するようにそれぞれ形成される挟持部３２１と、一対の挟持部３２１の間に形成される相手コネクタの導電端子に嵌合するための嵌合空間３２aとを含み、相手コネクタの導電端子との接続効果を強化するために、前記各挟持部３２１に突起３２１１がそれぞれ形成される。また、基部３１には前記絶縁本体２の保持アーム２４２の凸部２４２１に係合するための係止孔３１１が形成される。
【００１１】
取付ける際には、前記導電端子３を前記後開口２３２を通じて絶縁本体２の端子溝２３に挿入し、前記絶縁本体２の凸部２４２１の案内面２４２２によりガイドして端子溝２３にスライドでき、前記係止孔３１１が凸部２４２１に係合することによって、導電端子３が絶縁本体２の端子溝２３に保持される。この過程において、前記凸状リブ２６が導電端子３の嵌合空間３２aに挿入して、前記第１弾性アーム３２の挟持部３２１に当接することにより、導電端子３の左右方向での偏りが制限され、且つ前記凸状リブ２６が前記突起３２１１の上方に位置し、凸状リブ２６の長さが前記挟持部３２１の嵌合方向での長さとほぼ等しく、凸状リブ２６が前記挟持部３２１の間に容易に挿入可能とするために、前記凸状リブ２６の先端部の幅が基端部の幅より狭くなっている。また、導電端子３の舌片３５が絶縁本体２の前壁２１に形成された通溝２３３に係止し収容されることにより導電端子３の横方向での移動が制限できる。
【００１２】
以上本発明についてよい実施の形態を参照して詳細に説明したが、実施形態はあくまでも例示的なものであり、これらに限定されるものではない。また前記の説明は、本発明に基づきなしうる細部の修正或は変更など、いずれも本発明の請求範囲に属するものとする。
【図面の簡単な説明】
【００１３】
【図１】本発明に係るコネクタの組立斜視図である。
【図２】本発明に係るコネクタの背面図である。
【図３】本発明に係るコネクタの分解斜視図である。
【図４】図３に示すコネクタの他の角度から見た分解斜視図である。
【図５】図１に示すコネクタの他の角度から見た組立斜視図である。
【符号の説明】
【００１４】
１００  コネクタ
２  絶縁本体
３  導電端子
２１  前壁
２２  後壁
２３  端子溝
２４  底壁
２５  天板
２６  凸状リブ
２７  係合部材
３１  基部
３２  第１弾性アーム
３２ａ  嵌合空間
３３  第２弾性アーム
３４  第３弾性アーム
３５  舌片
２３１  前開口
２３２  後開口
２３３  通溝
２４１  貫通孔
２４２  保持アーム
２４３  凹部
２７１  延出部
２７２  主体部
２７３  押圧部
２７４  ロック部
３１１  係止孔
３２１  挟持部
３２２  連接部
２４２１  凸起
２４２２  案内面
３２１１  突起
【図１】
2008041664.tif 000003
【図２】
2008041664.tif 000004
【図３】
2008041664.tif 000005
【図４】
2008041664.tif 000006
【図５】
2008041664.tif 000007